(57)【要約】【課題】簡易な構造で防湿や防臭が可能な衣服用の防湿マットを提供する。【解決手段】吸湿性を有する吸湿シート１０を、短手側に山型状を有する野球のホームベース状に形成し、山型状の部分の近傍に、衣服用ハンガーの肩部に繋止するための第１取付部２０を設け、底辺の近傍に、衣服用ハンガーの直線部に繋止するための第２取付部５０を設ける。さらに、吸湿シート１０の長手側縁１０ｃ，１０ｄにおいて、衣服の袖内部に挿入可能な突起部３０と、その突起部３０を長手側縁１０ｃ，１０ｄで折り返して繋止できる繋止部４０と、を設ける。【選択図】図１
2015084923.tif 000002
【特許請求の範囲】
【請求項１】
略長方形状の一方の短手側の縁に向かって、長手側の両側縁を斜めに切断した形状の吸湿性を有する吸湿シートと、
前記吸湿シートの前記一方の短手側縁の近傍に、衣服用ハンガーの肩部に繋止するための第１取付部と、
を備えたことを特徴とする衣服用防湿マット。
【請求項２】
請求項１に記載の衣服用防湿マットにおいて、
前記吸湿シートは、
長手側縁において、衣服の袖内部に挿入可能な突起部と、
該突起部を長手側縁の近傍で折り返して繋止できる繋止部と、
を備えたことを特徴とする衣服用防湿マット。
【請求項３】
請求項１又は請求項２に記載の衣服用防湿マットにおいて、
前記吸湿シートの他方の短手側縁の近傍に、前記衣服用ハンガーの直線部に繋止するための第２取付部を備えたことを特徴とする衣服用防湿マット。
【請求項４】
請求項１〜請求項３のいずれか１項に記載の衣服用防湿マットにおいて、
前記吸湿シートは、
不織布からなるマット体を重ね合わせ、その重合部分により粒状をなす多数のシリカゲルを挟持するとともに、一方のマット体から引き出されたウェブの端部を他方のマット体内のウェブに機械的に絡み合わせることで、前記両マット体の対向面間でそれらの間に前記シリカゲルを移動不能に挟持した機能性シートであることを特徴とする衣服用防湿マット。
【発明の詳細な説明】
【技術分野】
【０００１】
本発明は、ジャケット等の衣服の内面に内包させることによりその衣服の湿気や臭いを除去する衣服用防湿マットに関する。
【背景技術】
【０００２】
従来、衣服の後方肩部や背部の裏面にポケット状の収納体を設け、その収納体の中に、防腐・消毒・防臭・消臭等が可能となるシート状の薬剤等を収納するようにして防腐や防臭を可能にした衣服がある（例えば、特許文献１参照）。
【先行技術文献】
【特許文献】
【０００３】
【特許文献１】特開平２００１−１２３３１０号公報
【発明の概要】
【発明が解決しようとする課題】
【０００４】
ところが、上記特許文献１に記載の衣服では、衣服そのものの裏面にポケット状の収納体を設ける必要がある。つまり、裏面に収納体を設けた衣服を製造するか、使用者が普段使っている衣服を加工して、裏面に収納体を設ける必要がある。したがって、衣服が高価になったり、通常使用する衣服をそのまま使用できなかったりという問題があった。
【０００５】
本発明は、こうした問題に鑑みなされたもので、簡易な構造で防湿や防臭が可能な衣服用の防湿マットを提供することを目的とする。
【課題を解決するための手段】
【０００６】
この欄においては、発明に対する理解を容易にするため、必要に応じて「発明を実施するための形態」欄において用いた符号を付すが、この符号によって請求の範囲を限定することを意味するものではない。
【０００７】
上記「発明が解決しようとする課題」において述べた問題を解決するためになされた発明は、略長方形状の一方の短手側の縁（１０ａ）に向かって、長手側の両側縁（１０ｃ，１０ｄ）を斜めに切断した形状の吸湿性を有する吸湿シート（１０）と、吸湿シート（１０）の一方の短手側縁（１０ａ，１０ｂ）の近傍に、衣服用ハンガーの肩部に繋止するための第１取付部（２０）と、を備えたことを特徴とする衣服用防湿マット（１）である。
【０００８】
このような衣服用防湿マット（１）は、略長方形状の一方の短手側の縁（１０ａ）に向かって、長手側の両側縁（１０ｃ，１０ｄ）が斜めに切断されている。つまり、長手の一方側が山型状に形成されている。したがって、その部分を上向きとして、衣服内に挿入すると、吸湿シート（１０）の斜めに切断されている部分が衣服の内側から肩部に接触する。
【０００９】
また、その一方の短手側縁（１０ａ，１０ｂ）の近傍に、衣服用ハンガーの肩部に繋止するための第１取付部（２０）が設けられている。したがって、第１取付部（２０）によって衣服用ハンガーに繋止し、衣服のうちジャケットなどの上着の肩部分を衣服用ハンガーに掛ければ、衣服用ハンガーに繋止した状態で、衣服用防湿マット（１）を衣服の内部に密着させることができる。
【００１０】
すると、吸湿シート（１０）の吸湿作用により、衣服の湿気を除去あるいは衣服の防湿を行うことができる。逆に、衣服用防湿マット（１）を繋止した衣服用ハンガーに衣服を掛けない場合には、衣服用防湿マット（１）から湿気が自然に除かれるため、衣服用防湿マット（１）の除湿性能を保つことができる。
【００１１】
また、請求項２に記載のように、吸湿シート（１０）が、吸湿シート（１０）の長手側縁（１０ｃ，１０ｄ）において、衣服の袖内部に挿入可能な突起部（３０）と、その突起部（３０）を長手側縁（１０ｃ，１０ｄ）の近傍で折り返して繋止できる繋止部（４０）と、を備えるようにするとよい。
【００１２】
このようにすると、衣服用ハンガーに上着を掛けたときに、突起部（３０）が上着の袖内部に挿入される。したがって、上着において最も湿度が高くなる脇の部分に吸湿シート（１０）が接触可能となり、衣服用防湿マット（１）の除湿効果を高めることができる。
【００１３】
また、突起部（３０）を折り返して繋止部（４０）で繋止すれば、突起部（３０）をなくすことができるので、袖のない上着を衣服用ハンガーに掛けるときなどに、突起部（３０）が邪魔にならず、便利である。
【００１４】
また、請求項３に記載のように、吸湿シート（１０）の他方の短手側縁（１０ａ，１０ｂ）の近傍に、衣服用ハンガーの直線部に繋止するための第２取付部（５０）を備えるようにするとよい。このようにすると、衣服用ハンガーの直線部分に衣服用防湿マット（１）を繋止することができる。
【００１５】
したがって、衣服のうちズボンを衣服用ハンガーの直線部分に掛ければ、衣服用防湿マット（１）にズボンを密着させて掛けることができるため、ズボンに対する除湿・防湿効果を得ることができる。
【００１６】
特に請求項４に記載のように、吸湿シート（１０）を、不織布からなるマット体（１２，１３）を重ね合わせ、その重合部分により粒状をなす多数のシリカゲル（１６）を挟持するとともに、一方のマット体（１２）から引き出されたウェブ（１７）の端部を他方のマット体（１３）内のウェブ（１８）に機械的に絡み合わせることで、両マット体（１２，１３）の対向面間でそれらの間にシリカゲル（１６）を移動不能に挟持した機能性シートとするとよい。
【００１７】
このようにすると、吸湿シート（１０）のマット体（１２，１３）の重合部分は、相対する両マット体（１２，１３）の構成素材であるウェブ（１７，１８）同士が機械的に絡み合うことにより縫合されるため、粒状の多数のシリカゲル（１６）が、その機能を低下させることなく移動できないように狭着保持される。
【００１８】
したがって、高い防湿性を長時間に亘って保つことができる。また、シリカゲル（１６）により防臭機能を得ることもできる。
【図面の簡単な説明】
【００１９】
【図１】衣服用防湿マットの概略の構成を示す外観図である。
【図２】吸湿シートの概略の構成を示す外観図である。
【図３】吸湿シートの概略の構造を示す断面図である。
【図４】衣服用防湿マットの乾燥性能を示す図である。
【発明を実施するための形態】
【００２０】
以下、本発明が適用された実施形態について図面を用いて説明する。なお、本発明の実施の形態は、下記の実施形態に何ら限定されることはなく、本発明の技術的範囲に属する限り種々の形態を採りうる。
［衣服用防湿マット１の構成］
図１は、衣服用防湿マット１の概略の構成を示す外観図である。
【００２１】
図１に示すように、衣服用防湿マット１は、吸湿シート１０、第１取付部２０及び第２取付部５０を備えている。
図１に示すように、吸湿シート１０は、略長方形状の一方の短手側の縁１０ａに向かって、長手側の両側縁１０ｃ、１０ｄが斜めに切断され、山型形状に形成されており、いわゆる野球のホームベース状になっている。
【００２２】
吸湿シート１０は、長手側縁１０ｃ，１０ｄにおいて、衣服の袖内部に挿入可能な突起部３０と、その突起部３０を長手側縁１０ｃ，１０ｄ（図１中に破線で示す部分）で折り返して、繋止できる繋止部４０と、を有している。
【００２３】
突起部３０の形状は、略三角形など、ジャケットなどの上着の袖の内側に挿入できる形状であり、特に、上着の脇部分に密着するように形成されているとよい。
また、繋止部４０は、吸湿シート１０の突起部３０の先端と、吸湿シート１０において、突起部３０を長手側縁１０ｃ，１０ｄで折り返した際に、突起部３０の先端部分に対応する位置に設けられた対となる留め具であり、具体的には、一対のホックや、面ファスナなどである。
【００２４】
第１取付部２０は、吸湿シート１０の一方の短手側縁１０ａ，１０ｂの近傍（長さが短い方の短手側近傍）に設けられた、衣服用ハンガーの肩部に繋止するための部分である。
具体的には、布製などの帯状の紐が弧を描くように、その先端部分が吸湿シート１０の山型状の部分の両稜線部に取り付けられている。この円弧の部分に衣服用ハンガーのフックを通し、衣服用ハンガーの肩部の先端（いわゆる首の部分）に衣服用防湿マット１を繋止することができる。
【００２５】
第２取付部５０は、吸湿シート１０の他方の短手側縁１０ａ，１０ｂの近傍に、衣服用ハンガーの直線部に繋止するためのものである。
具体的には、図１に示すように、ホームベース状の吸湿シート１０の底辺の両端近傍に帯状の紐が面ファスナで環状になるようにして取り付けられたものである。
【００２６】
この、第２取付部５０を、衣服用ハンガーの直線部に巻き付けて、面ファスナで固定することにより、吸湿シート１０の山型部分が下になるようにして、衣服用防湿マット１を衣服用ハンガーに取り付けることができる。
［吸湿シート１０の構造］
次に、図２に基づき、吸湿シート１０の構造について説明する。なお、図２においては、吸湿シート１０の構成を分かりやすくするため、突起部３０を省略して示してある。
【００２７】
吸湿シート１０は、不織布からなるマット体１２，１３を重ね合わせ、その重合部分により粒状をなす多数のシリカゲル１６を挟持するとともに、一方のマット体１２から引き出されたウェブ１７の端部を他方のマット体１３内のウェブ１８に機械的に絡み合わせることで、両マット体１２，１３の対向面間でそれらの間にシリカゲル１６を移動不能に挟持した機能性シートである。
【００２８】
具体的には、図２に示すように、本実施形態における吸湿シート１０は、不織布からなる上下一対のマット体１２，１３を重ね合わせたものであり、両マット体１２，１３の対向面１４，１５間には、図３に示すように、機能性物質としての粒状をなす多数のシリカゲル１６が挟み込まれている。
【００２９】
このシリカゲル１６は各粒がそれぞれ図示しない多数の微細貫通孔を有しており、高湿度雰囲気下では表面吸着又は毛細管現象により空気中の水分を吸収し、乾燥雰囲気下では吸収した水分を放出し得る機能を有している。
【００３０】
そのため、かかる吸湿機能及び放湿機能を良好に得るべく、本実施形態におけるシリカゲル１６には微細空間容積が０．５〜１．０ｍｌ／ｇ及び表面積が６５０〜３５０ｍ2 ／ｇの範囲内にあるものが採用されている。また、微細貫通孔の孔径は３０〜１２０オングストロームのものが吸湿機能等を良好に発揮する上で好ましい。
【００３１】
また、図３に示すように、シリカゲル１６は上下両マット体１２，１３間において層状をなし、相対する両マット体１２，１３の対向面１４，１５間全体に亘り均一に分布させられている。
【００３２】
そして、これらシリカゲル１６を上下両側から挟持した状態において、上下両マット体１２，１３の対向面１４，１５間は、図３において拡大して示すように、各マット体１２，１３の構成素材であるウェブ１７，１８により互いに縫合されている。
【００３３】
つまり、両マット体１２，１３の重合部分にはシリカゲル１６を上下両側から挟持した状態においてニードルパンチが複数箇所に亘って施されており、各パンチ箇所において上下両マット体１２，１３のウェブ１７，１８同士が機械的に絡み合っている。
【００３４】
したがって、各ウェブ１７，１８により対向面１４，１５間が縫合された上下両マット体１２，１３にてシリカゲル１６は層状をなしたまま移動不能に挟着保持されている。
［衣服用防湿マット１の特徴]
以上のような衣服用防湿マット１では、吸湿性を有する吸湿シート１０の長手の一方側が山型状に形成されている。したがって、その部分を上向きとして、衣服内に挿入すると、吸湿シート１０の斜めに切断されている部分が衣服の内側から肩部に接触する。
【００３５】
また、その一方の短手側縁１０ａ，１０ｂの近傍に、衣服用ハンガーの肩部に繋止するための第１取付部２０が設けられている。
したがって、第１取付部２０によって衣服用ハンガーの首部に繋止し、ジャケットなどの上着の肩部分を衣服用ハンガーに掛ければ、衣服用ハンガーに繋止した状態で、衣服用防湿マット１を衣服の内部に密着させることができる。
【００３６】
すると、吸湿シート１０の防湿作用により、衣服の湿気を除去あるいは衣服の防湿を行うことができる。逆に、衣服用防湿マット１を繋止した衣服用ハンガーに衣服を掛けない場合には、衣服用防湿マット１から湿気が自然に除かれるため、衣服用防湿マット１の除湿性能を保つことができる。
【００３７】
また、衣服用ハンガーに上着を掛けたときに、突起部３０が上着の袖内部に挿入される。したがって、上着において最も湿度が高くなる脇の部分に吸湿シート１０が接触可能となり、衣服用防湿マット１の除湿効果を高めることができる。
【００３８】
また、突起部３０を折り返して繋止部４０で繋止すれば、突起部３０をなくすことができるので、袖のない上着を衣服用ハンガーに掛けるときなどに、突起部３０が邪魔にならず、便利である。
【００３９】
さらに、第２取付部５０により、衣服用ハンガーの直線部分に衣服用防湿マット１を繋止することができる。
したがって、ズボンを衣服用ハンガーの直線部分に掛ければ、衣服用防湿マット１にズボンを密着させておくことができるため、ズボンに対する除湿・防湿効果を得ることができる。
【００４０】
また、吸湿シート１０のマット体１２，１３の重合部分は、相対する両マット体１２，１３の構成素材であるウェブ１７，１８同士が機械的に絡み合うことにより縫合されるため、粒状の多数のシリカゲル１６が、その機能を低下させることなく移動できないように狭着保持される。
【００４１】
したがって、高い防湿性を長時間に亘って保つことができる。また、シリカゲル１６により防臭機能を得ることもできる。
さらに、衣服の乾燥を早めることもできる。図４に衣服用防湿マット１の乾燥性能を示す。図４は、白布用の２０ｃｍ×２０ｃｍの大きさの綿布２０２枚用意し、湿潤させ１分間脱水処理を行い、２０℃×６５％ＲＨの環境下で、１枚を衣服用防湿マット１の上で乾燥させ、もう１枚を何もない状態（ブランクの状態）で乾燥させ、それぞれの拡散性残留水分率１０１分ごとに測定した結果を示した図である。
【００４２】
図４に示すように、拡散性残留水分率は、衣服用防湿マット１を使用した場合に著しく向上していること、つまり、乾燥性能が著しく向上していることが分かる。
（その他の実施形態）
以上、本発明の実施形態について説明したが、本発明は、本実施形態に限定されるものではなく、種々の態様を採ることができる。
【００４３】
例えば、上記実施形態では、吸湿シート１０に突起部３０を設けていたが、吸湿シート１０のみ、つまり、野球のホームベース状に形成された吸湿シート１０のみを用いてもよい。
【符号の説明】
【００４４】
１… 衣服用防湿マット  １０… 吸湿シート  １０ｃ，１０ｄ… 長手側縁  １０ａ，１０ｂ… 短手側縁  １２，１３… マット体  １６… シリカゲル１７，１８… ウェブ  ２０… 第１取付部  ３０… 突起部  ４０… 繋止部  ５０… 第２取付部。
【図１】
2015084923.tif 000003
【図２】
2015084923.tif 000004
【図３】
2015084923.tif 000005
【図４】
2015084923.tif 000006